(57)【要約】【課題】  無線通信端末を使用して目的地情報をサーバ装置から選択し、サーバ装置上の利用者専用の記憶部とカーナビゲーション装置の記憶部に設定し同期させること。およびカーナビゲーションに用いる音声アナウンスを嗜好に合わせて選択可能とし選択した音声でナビゲーションを可能とすること。古い地図情報を持ったカーナビゲーション装置でも新しい地図情報を表示することを可能とすることにある。【解決手段】  無線通信端末を使用して無線通信回線を介してサーバ装置と通信し、目的地情報などを取得し、内部に記憶する。車載端末と接続部を介して通信し、車載端末に目的地の位置情報などを送信する。車載端末は、無線通信端末より送信される目的地情報などを読み出し、一時記憶部に記憶することでサーバ装置の利用者個別の記憶手段内のデータと車載端末の一時記憶部内のデータと同期を取る構成および方法とする。【選択図】  図１
2005134350.tif 000002
【特許請求の範囲】
【請求項１】
サーバ装置と、無線通信回線を介して前記サーバ装置と通信を行う無線通信端末と、車載端末からなり、
前記無線通信端末は、前記サーバ装置から取得する目的地情報を記憶する目的地情報記憶手段と、前記車載端末との接続部と、前記車載端末に目的地の位置情報を送信する送信手段を備え、
前記車載端末は、前記無線通信端末との接続部と、前記接続部を介して前記無線通信端末より送信される目的地情報を読み出す目的地情報読出し手段と一時記憶部を備え、
前記サーバ装置は、地図情報と利用者個別の記憶手段を備え、
前記サーバ装置の利用者個別の記憶手段内のデータと車載端末の一時記憶部内のデータと同期を取ることを特徴とするカーナビゲーションシステム。
【請求項２】
請求項１において、サーバ装置は、利用者個別の目的地情報蓄積エリアへのアクセス制限を備え、
無線通信端末は、携帯電話機であり、
前記アクセス制限の解除キーは携帯電話機の固体識別番号とパスワードであることを特徴とするカーナビゲーションシステム。
【請求項３】
通信端末と車載端末からなり、
前記通信端末は、アドレス情報リストを内蔵し、前記車載端末との接続部と、前記車載端末に前記アドレス情報リストを送信する送信手段を備え、
前記車載端末は、前記通信端末との接続部と、前記接続部を介して前記通信端末より送信されるアドレス情報リストから目的地情報を読み出すアドレス情報リスト−目的地情報変換手段を備えることを特徴とするカーナビゲーションシステム。
【請求項４】
サーバ装置と、無線通信回線を介して前記サーバ装置と通信を行う無線通信端末と、車載端末からなり、
前記無線通信端末は、前記サーバ装置から取得する音声情報を記憶する音声情報記憶手段と、前記車載端末との接続部と、前記車載端末に目的地の位置情報と音声情報を送信する送信手段を備え、
前記車載端末は、無線通信端末との接続部と、前記接続部を介して前記無線通信端末より送信される目的地情報を読み出す目的地情報読出し手段と音声情報を読み出す音声情報読出し手段と音声情報記憶手段を備え、
前記サーバ装置は、地図情報、音声情報と利用者個別の記憶手段を備え、
前記車載端末内の音声情報記憶手段に蓄積した音声をナビゲーションの音声として再生することを特徴とするカーナビゲーションシステム。
【請求項５】
サーバ装置と、無線通信回線を介して前記サーバ装置と通信を行う無線通信端末と、車載端末からなり、
前記無線通信端末は、前記車載端末との接続部を備え、
前記車載端末は前記無線通信端末との接続部と、前記接続部を介して前記無線通信端末より送信される音声情報を読み出す音声情報読出し手段と、読み出した音声情報を記憶する音声情報記憶部を備え、
前記車載装置内の音声情報記憶手段に蓄積した音声をナビゲーションの音声として再生することを特徴とするカーナビゲーションシステム。
【請求項６】
無線通信回線を介してサーバ装置にアクセスし目的地情報を取得し、取得した前記目的地情報を無線通信端末内の目的地記憶手段に記憶し、
前記目的地情報を、接続部を介して車載端末と通信して通知し、車載端末の一時記憶部内の目的地情報記憶手段に記憶し、
前記無線通信端末が取得した目的地情報をサーバ装置内の利用者個別の記憶手段内の目的地情報記憶手段に記憶することで、車載端末内の一時記憶部内の目的地情報とサーバ装置内の利用者個別の記憶手段内の目的地情報の同期を取ることを特徴とするカーナビゲーションの目的地情報設定方法。
【請求項７】
通信端末に内蔵するアドレス情報リストを、接続部を介して車載端末と通信して通知し、通知された前記アドレス情報リストより目的地情報を抽出し目的地情報記憶手段に設定することを特徴とするカーナビゲーションシステムの目的地情報設定方法。
【請求項８】
無線通信回線を介してサーバ装置にアクセスし音声情報を取得し、取得した前記音声情報を無線通信端末内の音声情報記憶手段に蓄積し、
前記音声情報を、接続部を介して車載端末と通信して通知し、車載端末内の音声情報記憶手段に記憶し、
ナビゲーションの音声として使用することを特徴とするカーナビゲーション方法。
【請求項９】
無線通信回線を介してサーバ装置にアクセスし音声情報を取得し、取得した前記音声情報を接続部を介して車載端末と通信して通知し、車載端末内の音声情報記憶手段に記憶し、
ナビゲーションの音声として使用することを特徴とするカーナビゲーション方法。
【請求項１０】
請求項９において、無線通信端末は携帯電話機であり、利用者個別の目的地情報蓄積エリアへの記憶は、携帯電話機の固体識別情報とパスワードを使用することを特徴とするカーナビゲーション方法。
【発明の詳細な説明】
【技術分野】
【０００１】
本発明は、ＧＰＳ衛星からの無線信号を受信して現在位置（緯度、経度）を特定し、車両の経路選択、目的地までの経路誘導、地図の表示、地図上の特定位置に関わる情報の提供および音声によるアナウンスなどを行うカーナビゲーションシステムに関する。
【背景技術】
【０００２】
昨今のカーナビゲーションシステムは、携帯電話モジュールあるいはＰＨＳモジュールなどの無線通信手段を内蔵しているものや、無線通信端末とのインタフェースを有するものなどが有り、通信することが可能なっている。前記カーナビゲーション装置では電子メールが読めたり、インターネットにアクセスしホームページを閲覧したりすることが可能である。
【０００３】
特開２００３−２３２６４６号公報では、無線通信端末とカーナビゲーション装置とサーバ装置からなるカーナビゲーションシステムについての技術が開示されている。開示されているカーナビゲーションシステムは以下の構成からなる。
（１）目的地記憶手段と通信インタフェースを有する無線通信端末
（２）目的地情報読み出し手段と通信インタフェースを有するカーナビゲーション装置
（３）ネットワーク上に開設されているサーバ装置
【０００４】
更に、動作は以下の項番の順で行われる。
（１）利用者は前記無線通信端末に目的地を登録する。この時、前記無線通信端末内では目的地記憶手段に目的地が記憶される。この目的地を登録する動作は実際に車に乗り込みカーナビゲーション装置を起動する動作と同期を取る必要は無い。
（２）利用者は前記無線通信端末とカーナビゲーション装置とを通信インタフェースを介して接続し、カーナビゲーション装置の目的地情報読み出し手段を起動して前記無線通信装置から目的地情報を取得する。
（３）カーナビゲーション装置は無線通信端末を使用して通信ネットワークを介してネットワーク上に開設されている地図情報配信サーバにアクセスする。
（４）カーナビゲーション装置はＧＰＳ衛星からＧＰＳ受信部にて取得した現在地の位置情報（経度、緯度）と、目的地情報を地図情報配信サーバに通知する。
（５）地図情報配信サーバは現在地情報と目的地情報により必要な地図情報および関連情報を取得しそれらを通信ネットワークを介して無線通信端末に送信する。
（６）無線通信装置に送信された地図情報および関連情報は通信インタフェースを通してカーナビゲーション装置に送信され、カーナビゲーション装置はその情報をディスプレイに表示し、必要が有る場合は関連情報を一時記憶装置に保存する。
【０００５】
上記の構成および動作により開示されたカーナビゲーションシステムは、カーナビゲーション装置が装置内のＤＶＤやＨＤＤに地図情報を持たなくても地図情報配信サーバに登録されている最新の地図情報でもって目的地までのナビゲーションを行うことが可能となっている。
【０００６】
更に、携帯電話機、パソコンもしくはカーナビゲーション装置からサーバ装置にアクセスして目的地の情報を検索したり、検索した目的地をサーバ装置上の利用者専用のエリアに登録することが可能になっているカーナビゲーションシステムが存在する（インターナビ、ｈｔｔｐ：／／ｗｗｗ．ｉｎｔｅｒｎａｖｉ．ｎｅ．ｊｐ／）。前記カーナビゲーションシステムでは、カーナビゲーション装置側で通信ネットワークを介してその登録情報にアクセスし、目的地に関する地図情報および関連情報をカーナビゲーション装置の画面上に直ちに表示することができる。また、前記目的地の情報をコンパクトフラッシュ（登録商標）などのメモリーカードに保存してカーナビゲーション装置に情報を転送することであらかじめ登録された目的地の情報と現在地情報によって直ちにカーナビゲーション装置の画面に地図情報および関連情報を表示させることができるシステムも存在している。
【０００７】
特開２００１−１６５６８９号公報では、以下のカーナビゲーション装置の技術が開示されている。カーナビゲーション装置は以下のように構成される。
（１）メモリスティック、フラッシュメモリもしくはＣＤ，ＤＶＤなどの取り外し可能で、音声データを記憶できる一時記憶媒体
（２）前記一時記憶媒体から音声データを取り出す音声データ入力部
（３）音声データを処理する情報処理部
また、以下のように動作する。
（１）前記一時記憶媒体にコンピュータなどから現在地と目的地に関する音声データをダウンロードして記憶させる。
（２）前記一時記憶媒体をカーナビゲーション装置に接続しアクセス可能な状態にする（例えばメモリスティックもしくはフラッシュメモリをメモリスティックもしくはフラッシュメモリのポートに差し込む、ＣＤもしくはＤＶＤをプレーヤに挿入するなど）。
（３）カーナビゲーション装置は音声入力部が一時記憶媒体から音声データを取り出し、情報処理部で処理して音声の再生を行う。
前記一時記憶装置に音声データをダウンロードする際、不要な音声データはダウンロードしない。
【０００８】
このような従来の方法である地図情報配信サーバを使用したカーナビゲーションシステムでは、サーバ装置とリンクが張れない場合（例えば、基地局が存在しない地域にいて電波が届かない場合や、天候が悪く無線通信が出来ない場合）はカーナビゲーション装置内に地図情報を持たないためナビゲーションが出来ないという問題があった。
【０００９】
また、地図情報配信サーバを利用していないカーナビゲーションシステムでは、カーナビゲーション装置内のＤＶＤやＨＤＤなどの記録媒体に含まれる地図情報が古くなっていた場合には、目的地の設定においても地図が作成された以降に建造された建造物（レストラン、スーパー、デパート、公園など）や道路などの新しい情報を用いて検索することは出来なかった。更に、ディスプレイの表示も新しい建造物および道路の表示は無いこと、更に現在地から目的地までに存在する様々な情報（バイパス道路、新しく建てられた公園、子供用の施設、道の駅などの情報）を検索する場合においても利用者が欲する新しい情報を得ることが出来なかった。
【００１０】
更にカーナビゲーション装置のナビゲーション時の音声は利用者の嗜好に合わせてサーバ装置上に登録されたある特定者の音声（例えば利用者が好む歌手の声など）を選択して行うことは出来なかった。
【００１１】
また、特開２００１−１６５６８９号公報に開示されているダウンロード可能な音声データについては、不要な音声データをあらかじめカーナビゲーション装置の記憶媒体に入れておく必要が無いため便利ではあるが、音声そのものの音質などを変更できるわけではなく利用者の嗜好に合わせた音声によるナビゲーションを行うことは出来なかった。
【特許文献１】特開２００３−２３２６４６
【特許文献２】特開２００１−１６５６８９
【発明の開示】
【発明が解決しようとする課題】
【００１２】
本発明は以上のような従来の欠点に鑑みてなされたものであり、その目的とするところ以下の４点である。
（１）カーナビゲーション装置がサーバ装置にアクセスできない場合などにおいてもナビゲーションを行うための目的地の設定を携帯電話機などの通信端末などにより可能としディスプレイに地図情報が表示できるようにすること。
（２）ナビゲーション時の音声を利用者の嗜好に合わせて選択可能とすること。
（３）サーバ装置に利用者専用のエリアに設け、現在地情報、目的地情報およびアナウンスの音声などの情報を登録可能とし、サーバ装置内の上記情報とカーナビゲーション装置の情報の同期を取って動作するカーナビゲーションシステムを提供すること。
（４）車載端末の地図情報などの情報が古い場合は、サーバ装置に登録されている新しい情報を車載端末でディスプレイすることや、アナウンスすることが可能なカーナビゲーションシステムを提供すること。
【課題を解決するための手段】
【００１３】
上記目的を達成するために、第１の発明であるカーナビゲーションシステムは、サーバ装置と、無線通信回線を介して前記サーバ装置と通信を行う無線通信端末と、車載端末からなり、前記無線通信端末は、前記サーバ装置から取得する目的地情報を記憶する目的地情報記憶手段と、前記車載端末との接続部と、前記車載端末に目的地の位置情報を送信する送信手段を備え、前記車載端末は、前記無線通信端末との接続部と、前記接続部を介して前記無線通信端末より送信される目的地情報を読み出す目的地情報読出し手段と一時記憶部を備え、前記サーバ装置は、地図情報と利用者個別の記憶手段を備え、前記サーバ装置の利用者個別の記憶手段内のデータと車載端末の一時記憶部内のデータと同期を取るように構成するものである。更に好ましくは、利用者個別の目的地情報蓄積エリアへのアクセス制限をかけ、携帯電話機の固体識別情報とパスワードをアクセスの解除キーとして使用するのも良い。
更に好ましくは、サーバ装置は、利用者個別の目的地情報蓄積エリアへのアクセス制限を備え、無線通信端末は、携帯電話機であり、前記アクセス制限の解除キーは携帯電話機の固体識別番号とパスワードを設けても良い。
【００１４】
第２の発明であるカーナビゲーションシステムは、通信端末と車載端末からなり、前記通信端末は、アドレス情報リストを内蔵し、前記車載端末との接続部と、前記車載端末に前記アドレス情報リストを送信する送信手段を備え、前記車載端末は、前記通信端末との接続部と、前記接続部を介して前記通信端末より送信されるアドレス情報リストから目的地情報を読み出すアドレス情報リスト−目的地情報変換手段を備えるように構成するものである。
【００１５】
第３の発明であるカーナビゲーションシステムは、サーバ装置と、無線通信回線を介して前記サーバ装置と通信を行う無線通信端末と、車載端末からなり、前記無線通信端末は、前記サーバ装置から取得する音声情報を記憶する音声情報記憶手段と、前記車載端末との接続部と、前記車載端末に目的地の位置情報と音声情報を送信する送信手段を備え、前記車載端末は、無線通信端末との接続部と、前記接続部を介して前記無線通信端末より送信される目的地情報を読み出す目的地情報読出し手段と音声情報を読み出す音声情報読出し手段と音声情報記憶手段を備え、前記サーバ装置は、地図情報、音声情報と利用者個別の記憶手段を備え、前記車載端末内の音声情報記憶手段に蓄積した音声をナビゲーションの音声として再生するように構成するものである。
【００１６】
第４の発明であるカーナビゲーションシステムは、サーバ装置と、無線通信回線を介して前記サーバ装置と通信を行う無線通信端末と、車載端末からなり、前記無線通信端末は、前記車載端末との接続部を備え、前記車載端末は前記無線通信端末との接続部と、前記接続部を介して前記無線通信端末より送信される音声情報を読み出す音声情報読出し手段と、読み出した音声情報を記憶する音声情報記憶部を備え、前記車載装置内の音声情報記憶手段に蓄積した音声をナビゲーションの音声として再生するように構成するものである。
【００１７】
第５の発明であるカーナビゲーションの目的地設定方法は、無線通信回線を介してサーバ装置にアクセスし目的地情報を取得し、取得した前記目的地情報を無線通信端末内の目的地記憶手段に記憶し、前記目的地情報を、接続部を介して車載端末と通信して通知し、車載端末の一時記憶部内の目的地情報記憶手段に記憶し、前記無線通信端末が取得した目的地情報をサーバ装置内の利用者個別の記憶手段内の目的地情報記憶手段に記憶することで、車載端末内の一時記憶部内の目的地情報とサーバ装置内の利用者個別の記憶手段内の目的地情報の同期を取るように構成するものである。
【００１８】
第６の発明であるカーナビゲーションの目的地設定方法は、通信端末に内蔵するアドレス情報リストを、接続部を介して車載端末と通信して通知し、通知された前記アドレス情報リストより目的地情報を抽出し目的地情報記憶手段に設定するように構成するものである。
【００１９】
第７の発明であるカーナビゲーション方法は、無線通信回線を介してサーバ装置にアクセスし音声情報を取得し、取得した前記音声情報を無線通信端末内の音声情報記憶手段に蓄積し、前記音声情報を、接続部を介して車載端末と通信して通知し、車載端末内の音声情報記憶手段に記憶し、ナビゲーションの音声として使用するように構成するものである。
【００２０】
第８の発明であるカーナビゲーション方法は、無線通信回線を介してサーバ装置にアクセスし音声情報を取得し、取得した前記音声情報を接続部を介して車載端末と通信して通知し、車載端末内の音声情報記憶手段に記憶し、ナビゲーションの音声として使用するように構成するものである。
更に望ましくは、無線通信端末は携帯電話機であり、利用者個別の目的地情報蓄積エリアへの記憶は携帯電話機の固体識別情報とパスワードを使用するように構成すると良い。
【発明の効果】
【００２１】
以上の説明から明らかなように、本発明にあっては次に列挙する効果が得られる。
（１）カーナビゲーション装置がサーバ装置にアクセス出来ない状況が有る場合においても、ナビゲーションを行うための目的地の設定を携帯電話機などの通信端末などにより可能としディスプレイに表示することが出来る。
（２）ナビゲーション時の音声を利用者の嗜好に合わせて選択可能とすることが可能となる。
（３）サーバ装置内の利用者専用のデータ記憶エリアとカーナビゲーション装置の目的地などの情報を同期させることができる。
（４）利用者が良く使用している携帯電話機で目的地情報の設定が可能であるためカーナビゲーション装置で行うより操作性が良くなる。
（５）携帯電話機の固体識別番号とパスワードで利用者個別の目的地情報蓄積エリアへのアクセス制限をかけることで、カーナビゲーション装置がレンタルされる場合においても特定の作業を行うことなくセキュリティが確保され、他の利用者は以前の利用者と異なる目的地情報でカーナビゲーション装置を作動することになる。
（６）地図情報配信サーバを使用しないカーナビゲーションシステムにおいても、目的地情報の設定を最新の地図情報から設定できる。
（７）常に新しい地図情報の配信を受ける地図情報配信サーバを使用したカーナビゲーションシステムでなくとも、サーバ装置とカーナビゲーション装置が同期を取っているためカーナビゲーション装置に無い新しい情報が有ると判断できた場合はサーバ装置側から関連する地図情報が送られてくるため、常に最新の地図情報をディスプレイに表示することが出来る。
【発明を実施するための最良の形態】
【００２２】
以下に本発明を実施するための最良の形態の一例について図面を用いて詳細に説明する。先ず、本発明の全体構成について図１を用いて説明する。図１は本発明のカーナビゲーションシステムのシステム構成図である。図中、１１は無線通信端末であり、１３はサーバ装置であり、１５は車載端末であり、２３はインターネットである。前記無線通信端末１１は無線通信回線と無線通信プロトコルによってインターネット２３につながっている。サーバ装置１３は通信ネットワークとして例えばデータ専用回線などを契約して通信プロトコルを使用してインターネット２３に接続されている。車載端末１５は内部の携帯モジュールやＰＨＳモジュールを使用して無線回線で無線通信プロトコルを使用してインターネット２３につながっている。もしくは、携帯電話機もしくはＰＨＳとの外部通信インタフェースを備えていて、携帯電話機もしくはＰＨＳを接続して無線回線と無線通信プロトコルでインターネット２３に接続されている場合もある。
【００２３】
無線通信端末１１のブロック図を図２に示す。本発明に関わる無線通信端末１１は、概して、中央制御装置であるＣＰＵ２０１、通信制御部２０３、表示部２０５、入力キー２０７、接続部２０９および、メモリ２１１などから構成されている。ＣＰＵ２０１は、携帯電話機の全ての処理を司っている。通信制御部２０３は無線回線を使用して制御信号を使用して呼を設定したり開放したり、データ通信を制御したりする。表示部２０５は利用者に携帯電話機１１自体の状況の通知を行い、入力キー２０７にて利用者は携帯電話機１１に指示を与えることが出来るように構成されている。接続部２０９は外部インタフェースであり、車載端末と接続できる。メモリ２１１内には、目的地情報記憶手段２１３、音声情報記憶手段２１５、携帯電話機の固体識別情報２１７、目的地情報などの送信手段２１９、アドレス情報リスト２２１などが存在する。
【００２４】
サーバ装置１３のブロック図を図３に示す。本発明に関わるサーバ装置１３は、概して、中央制御装置であるＣＰＵ３０１、通信制御部３０３、表示部３０５、入力キー３０７および、メモリ３０９などから構成されている。ＣＰＵ３０１、通信制御部２０３、表示部３０５、入力キー３０７は無線通信端末１１と同様の機能を有する。メモリ３０９内には、地図情報３１１、音声情報３１３および目的地情報記憶手段３１７と音声情報記憶手段３１９を有する利用者個別の記憶手段３１５などが存在する。
【００２５】
車載端末１５のブロック図を図４に示す。本発明に関する車載端末１５も一時記憶部４１１を除いた部分は無線通信端末１１と同様である。メモリ４１１内には、目的地情報読出し手段４１３、アドレス情報リスト−目的地情報変換手段４１５および一時記憶部４１７と、その一時記憶部４１７の内部に目的地情報記憶手段４１９、音声情報記憶手段４２１などが存在する。
【００２６】
次に、本発明のカーナビゲーションシステムの処理シーケンスおよび処理フローを図５〜図１０までを用いて説明する。この実施形態において、無線通信端末として携帯電話機を使用して説明している。
利用者は携帯電話機１１を使用して、カーナビゲーションの目的地情報や音声情報を検索したり、利用者専用のエリアに保存し読み書きできるように利用者に解放されているサーバ装置のＵＲＬにアクセスする（ｓａ１１）。すると無線通信ネットワークを介して無線通信プロトコルに従ってサーバ装置１３に通知され、サーバ装置１３はログイン画面を携帯電話機１１に送信し、パスワードを要求する（ｓｂ１１、ｆａ１１）。
【００２７】
利用者がパスワードを入力し送信ボタンを押下すると、入力されたパスワード情報と、各々の携帯電話機を唯一に識別可能な固体識別情報がサーバ装置１３に通知される（ｓａ１３）。サーバ装置１３はユーザ登録エリアの登録情報と固定識別情報およびパスワードを比較してパスワードが合っているかどうか判断し（ｓｂ１３）、間違っている場合は再度パスワードの入力要求を行うステップに戻り再度繰り返す。パスワードが合致する場合は、目的地情報および音声情報の選択画面を携帯電話機に送信し（ｓｂ１５、ｆａ１２）、携帯電話機１１は該選択画面を表示部に表示し（ｓａ１５）利用者が選択可能であるようにする。
【００２８】
利用者は携帯電話機１１の入力キー２０７を使用して目的地情報を指定したい場合は目的地情報を選択し、音声情報を指定したい場合は音声情報を選択する（ｓａ１７）。目的地情報を選択した場合は、携帯電話機１１は目的地情報を選択したことをサーバ装置１３に通知し（ｓａ１９）、サーバ装置１３は目的地検索画面を携帯電話機１１に送信する（ｓｂ１７）。
【００２９】
利用者は目的地検索画面から住所もしくは名称などから検索する目的地を入力キー２０７を用いて入力するか、終了する場合は終了ボタンを押下する（ｓａ２１、ｆａ１３）。サーバ装置１３は押下されたボタンの種類を判断する（ｓｂ１９）。終了ボタンが押下されたと判断される場合はサーバ装置１３は目的地、音声情報の検索終了画面を携帯電話機１１に送信して処理を終了する（ｓｂ４１、ｓａ４７）。
【００３０】
目的地の検索ボタンが押された場合は目的地の検索を行う（ｓｂ２１）。検索の結果として目的地が見つからなかった場合は再度目的地検索画面を携帯電話機１１に送信する（ｓｂ２３）。目的地が見つかった場合は、見つかった目的地の緯度・経度などの座標を目的地情報として携帯電話機１１に送信する（ｓｂ２５）。
【００３１】
携帯電話機１１はサーバ装置１３から送られてくる目的地の検索結果を表示し（ｓａ２３、ｆａ１４）、利用者が記憶ボタンを押下すれば（ｓａ２５）、携帯電話機１１は検索した目的地情報の記憶場所がサーバ装置１３か携帯電話機１１かを判断し（ｓａ２７）、携帯電話機１１の場合は携帯電話機１１内の目的地情報記憶手段２１３に記憶し（ｓａ３１）、再度目的地検索画面に戻る。目的地情報の記憶場所がサーバ装置１３だった場合は、サーバ装置１３に目的地情報の保存要求を行い（ｓａ２９）、サーバ装置１３は利用者個別の記憶手段３１５内の目的地情報記憶手段３１７に目的地情報を記憶し（ｓｂ２７）、また目的地情報検索画面に戻る。
【００３２】
目的地情報か音声情報かの選択の際に音声情報を選択した場合は（ｓａ３３）、サーバ装置１３は音声情報の検索が面を携帯電話機１１に送信する（ｓｂ２９、ｆａ１５）。利用者は入力キー２０７を使用して検索する音声情報を入力して検索ボタンを押下するか、終了する場合は終了ボタンを押下する（ｓａ３５）。サーバ装置１３は押下されたボタンの種類を判断する（ｓｂ３１）。
【００３３】
終了ボタンが押下されたと判断される場合はサーバ装置１３は目的地、音声情報の検索終了画面を携帯電話機１１に送信して処理を終了する（ｓｂ４１、ｓａ４７）。音声情報の検索ボタンが押された場合は音声情報の検索を行う（ｓｂ３３）。検索の結果として音声情報が見つからなかった場合は再度音声情報検索画面を携帯電話機１１に送信する（ｓｂ３５）。音声情報が合致した場合は、合致した音声情報のリストを携帯電話機１１に送信する（ｓｂ３７）。
【００３４】
携帯電話機１１はサーバ装置１３から送られてくる音声情報のリストを表示し（ｓａ３７、ｆａ１６）、利用者がリストから音声情報を選択し記憶ボタンを押下すれば（ｓａ３９）、携帯電話機１１は音声情報の記憶場所がサーバ装置１３か携帯電話機１１かを判断し（ｓａ４１）、携帯電話機１１の場合は携帯電話機１１内の音声情報記憶手段２１５に記憶し（ｓａ４５）、再度目的地検索画面に戻る。音声情報の記憶場所がサーバ装置１３だった場合は、サーバ装置１３に音声情報の保存要求を行い（ｓａ４３）、サーバ装置１３は利用者個別の記憶手段３１５内の音声情報記憶手段３１９に音声情報を記憶し（ｓｂ３９）、また音声情報検索画面に戻る。
【００３５】
次に車載端末１５が内部に携帯電話モジュールやＰＨＳモジュールなどの通信手段を有さない場合について述べる。利用者が車載装置１５を操作してサーバ装置に接続しようと試みる場合は、先ず最初に携帯電話機１１を車載端末１５に両者の接続部である２０９と４０９を介してシリアルケーブルなどの通信ケーブル接続する（ｓａ４９）。それから車載端末であるカーナビゲーション装置１５を操作しサーバ装置１３へアクセスするために携帯電話機１１を操作し、サーバ装置１３への接続要求を行う（ｓｃ１３）。携帯電話機１１はダイアルアップ接続（ｓａ５１）しインターネットにアクセスし、サーバ装置１３にアクセスする。携帯電話装置１１はこの後は車載端末であるカーナビゲーション装置１５とサーバ装置１３間をつなぐ線として機能している。
【００３６】
サーバ装置１３はカーナビゲーション装置１５に対してユーザ名とパスワードの入力を要求する画面を送信する（ｓｂ４３、ｆｂ１１）。カーナビゲーション装置１５の操作者はユーザ名とパスワードを入力し送信する（ｓｃ１５）。サーバ装置１３は入力されたユーザ名とパスワードとをチェックし（ｓｂ４５）間違っていれば再度パスワード入力画面を、正しければ（ｓｂ４７）、歓迎および設定などの画面（ｆｂ１３）をカーナビゲーション装置１３に送信する（ｓｂ４９）。
【００３７】
利用者は画面（ｆｂ１３）から更新ボタンを選択しクリックするか、終了ボタンをクリックすることが出来る。終了ボタンをクリックした場合は本実施例には記載していないが、処理を終了する。更新ボタンを押下した場合は、既に携帯電話機１１などで登録済の、目的地情報や音声情報の更新要求と、地図情報の作成日の通知をサーバ装置１３に対して行う（ｓｃ１７）。更新要求を受け付けたサーバ装置１３は、目的地情報や音声情報を更新し、サーバ装置１３内の利用者個別の記憶手段内に保存する（ｓｂ５１）。更にカーナビゲーション装置１５から送られてきた地図の作成日とサーバ装置１３内の地図情報３１１の作成日とを比較し、サーバ装置１３内の地図情報が新しければ、サーバ装置１３はカーナビゲーション装置１５に対して差分のファイルを自動的に送付する。
【産業上の利用可能性】
【００３８】
本発明は、ＧＰＳ衛星からの無線信号を受信して現在位置（緯度、経度）を特定し、車両の経路選択、目的地までの経路誘導、地図の表示、地図上の特定位置に関わる情報の提供および音声による説明などを行うカーナビゲーション装置およびカーナビゲーションシステムの関連産業などで利用可能である
【図面の簡単な説明】
【００３９】
【図１】本発明のカーナビゲーションシステムのシステム構成図である。
【図２】本発明の無線通信端末のブロック図である。
【図３】本発明のサーバ装置のブロック図である。
【図４】本発明の車載端末のブロック図である。
【図５】本発明のカーナビゲーションシステムの処理シーケンスおよび処理フローを表している処理シーケンスおよびフローチャートである。
【図６】本発明のカーナビゲーションシステムの処理シーケンスおよび処理フローを表している処理シーケンスおよびフローチャートである。
【図７】本発明のカーナビゲーションシステムの処理シーケンスおよび処理フローを表している処理シーケンスおよびフローチャートである。
【図８】本発明のカーナビゲーションシステムの処理シーケンスおよび処理フローを表している処理シーケンスおよびフローチャートである。
【図９】本発明のカーナビゲーションシステムの処理シーケンスおよび処理フローを表している処理シーケンスおよびフローチャートである。
【図１０】本発明の携帯電話機の画面表示である。
【図１１】本発明のカーナビゲーション装置の画面表示である。
【符号の説明】
【００４０】
１１    無線通信端末
１３    サーバ装置
１５    車載端末
２３    インターネット
２０９  無線通信端末の接続部
４０９  車載端末の接続部
２１３  無線通信端末の目的地情報記憶手段
２１５  無線通信端末の音声情報記憶手段
３１５  サーバ装置の利用者個別の記憶手段
３１７  サーバ装置の目的地情報記憶手段
３１９  サーバ装置の音声情報記憶手段
４１７  車載端末の一時記憶部
４１９  車載端末の目的地情報記憶手段
４２１  車載端末の音声情報記憶手段
【図１】
2005134350.tif 000003
【図２】
2005134350.tif 000004
【図３】
2005134350.tif 000005
【図４】
2005134350.tif 000006
【図５】
2005134350.tif 000007
【図６】
2005134350.tif 000008
【図７】
2005134350.tif 000009
【図８】
2005134350.tif 000010
【図９】
2005134350.tif 000011
【図１０】
2005134350.tif 000012
【図１１】
2005134350.tif 000013